(57)【要約】【課題】音質が悪化することなく、音楽再生を可能とすること。【解決手段】音楽再生装置１は、右音声を出力するための右音声ラインと、左音声を出力するための左音声ラインと、アナロググラウンドと、リモコン信号、又は、マイク信号を受信するための信号ラインと、を有する４極ヘッドホンジャックと、信号ラインに設けられたＭＯＳＦＥＴ５と、マイクロコンピューター２と、を備える。マイクコンピューター２は、４極ヘッドホンジャックに、左音声が出力される左音声端子と、右音声が出力される右音声端子と、グラウンド端子と、を有する３極プラグが接続された場合に、ＭＯＳＦＥＴ５をオフする。【選択図】図１
2020025204.tif 000002
【特許請求の範囲】
【請求項１】
右音声を出力するための右音声ラインと、
左音声を出力するための左音声ラインと、
アナロググラウンドと、
リモコン信号、又は、マイク信号を受信するための信号ラインと、
を有する４極ヘッドホンジャックと、
前記信号ラインに設けられたスイッチと、
制御部と、を備え、
前記制御部は、前記４極ヘッドホンジャックに、左音声が出力される左音声端子と、右音声が出力される右音声端子と、グラウンド端子と、を有する３極プラグが接続された場合に、前記スイッチをオフすることを特徴とする音楽再生装置。
【請求項２】
前記制御部は、前記４極ヘッドホンジャックに、左音声が出力される左音声端子と、右音声が出力される右音声端子と、グラウンド端子と、リモコン信号又はマイク信号を出力する信号端子と、を有する４極プラグが接続された場合に、前記スイッチをオンすることを特徴とする請求項１に記載の音楽再生装置。
【請求項３】
前記制御部は、前記４極ヘッドホンジャックへのプラグの接続を検出することを特徴とする請求項１又は２に記載の音楽再生装置。
【請求項４】
前記制御部は、前記４極ヘッドホンジャックへの前記プラグの接続を検出したときに、前記信号ラインが、所定の時間、ローである場合に、前記３極プラグが接続されたと判断することを特徴とする請求項３に記載の音楽再生装置。
【請求項５】
前記スイッチは、ｎ型のＭＯＳＦＥＴであることを特徴とする請求項１〜４のいずれか１項に記載の音楽再生装置。
【請求項６】
前記制御部は、前記ＭＯＳＦＥＴのゲートに接続され、前記ＭＯＳＦＥＴをオフする場合、ゲートの電位をローとし、前記ＭＯＳＦＥＴをオンする場合、ゲートの電位をハイとすることを特徴とする請求項５に記載の音楽再生装置。
【発明の詳細な説明】
【技術分野】
【０００１】
本発明は、音楽を再生する音楽再生装置に関する。
【背景技術】
【０００２】
ヘッドホンに音声を出力する音楽再生装置において、３極ヘッドホンジャック、又は、４極ヘッドホンジャックを有する装置がある（例えば、特許文献１参照。）。３極ヘッドホンジャックは、アナロググラウンド、右（Ｒ）音声を出力するライン（以下、「右音声ライン」という。）、左（Ｌ）音声を出力するライン（以下、「左音声ライン」という。）を有する。４極ヘッドホンジャックは、図２に示すように、３極ヘッドホンジャックのラインに加え、ヘッドホンからのリモコン信号、又は、マイク信号を受信するためのライン（以下、「マイク／リモコン信号ライン」と言う。）を有する。アナロググラウンド、右音声ライン、左音声ラインは、ヘッドホンＤＡＣ／アンプに接続されている。マイク／リモコン信号ラインは、ヘッドホンジャックインターフェースＩＣに接続されている。
【０００３】
また、ヘッドホンのプラグには、３極プラグと４極プラグとがある。３極プラグは、左音声が出力される左音声端子、右音声が出力される右音声端子、グラウンド端子を有する。４極プラグは、３極プラグが有する端子に加え、マイク／リモコン信号を出力するマイク／リモコン端子を有する。なお、一般的に、ヘッドホンのリモコンのボタンは、対グラウンド（ＧＮＤ）ショートさせるタクトスイッチである。
【０００４】
ヘッドホンジャックインターフェースＩＣには、ハイ／ローのリモコン信号、又は、マイク信号が入力される。マイクロコンピューターは、ヘッドホンジャックへのプラグの挿入を検出したときに、マイク／リモコン信号が、しばらくローである場合に、３極プラグであると判断する。
【先行技術文献】
【特許文献】
【０００５】
【特許文献１】特開２００９−１００４１４号公報
【発明の概要】
【発明が解決しようとする課題】
【０００６】
マイク／リモコン対応４極ヘッドホンジャックにおいて、通常の３極プラグを有するヘッドホンが使用されると、マイク／リモコン信号ラインが、ヘッドホンのアナロググラウンドにつながり、デジタル系のノイズにより、音質が悪化するという問題がある。
【０００７】
本発明の目的は、音質が悪化することなく、音楽再生を可能とすることである。
【課題を解決するための手段】
【０００８】
第１の発明の音楽再生装置は、右音声を出力するための右音声ラインと、左音声を出力するための左音声ラインと、アナロググラウンドと、リモコン信号、又は、マイク信号を受信するための信号ラインと、を有する４極ヘッドホンジャックと、前記信号ラインに設けられたスイッチと、制御部と、を備え、前記制御部は、前記４極ヘッドホンジャックに、左音声が出力される左音声端子と、右音声が出力される右音声端子と、グラウンド端子と、を有する３極プラグが接続された場合に、前記スイッチをオフすることを特徴とする。
【０００９】
４極ヘッドホンジャックに、３極プラグが接続されると、信号ラインが、ヘッドホンのアナロググラウンドにつながり、デジタル系のノイズにより、音質が悪化するという問題がある。本発明では、制御部は、４極ヘッドホンジャックに、３極プラグが接続された場合に、信号ラインに設けられたスイッチをオフする。これにより、信号ラインが、ヘッドホンのアナロググラウンドにはつながらないため、音質が悪化することなく、音楽再生を行うことができる。
【００１０】
第２の発明の音楽再生装置は、第１の発明の音楽再生装置において、前記制御部は、前記４極ヘッドホンジャックに、左音声が出力される左音声端子と、右音声が出力される右音声端子と、グラウンド端子と、リモコン信号又はマイク信号を出力する信号端子と、を有する４極プラグが接続された場合に、前記スイッチをオンすることを特徴とする。
【００１１】
第３の発明の音楽再生装置は、第１又は第２の発明の音楽再生装置において、前記制御部は、前記４極ヘッドホンジャックへのプラグの接続を検出することを特徴とする。
【００１２】
第４の発明の音楽再生装置は、第３の発明の音楽再生装置において、前記制御部は、前記４極ヘッドホンジャックへの前記プラグの接続を検出したときに、前記信号ラインが、所定の時間、ローである場合に、前記３極プラグが接続されたと判断することを特徴とする。
【００１３】
第５の発明の音楽再生装置は、第１〜第４のいずれかの発明の音楽再生装置において、前記スイッチは、ｎ型のＭＯＳＦＥＴであることを特徴とする。
【００１４】
第６の発明の音楽再生装置は、第５の発明の音楽再生装置において、前記制御部は、前記ＭＯＳＦＥＴのゲートに接続され、前記ＭＯＳＦＥＴをオフする場合、ゲートの電位をローとし、前記ＭＯＳＦＥＴをオンする場合、ゲートの電位をハイとすることを特徴とする。
【発明の効果】
【００１５】
本発明によれば、音質が悪化することなく、音楽を再生することができる。
【図面の簡単な説明】
【００１６】
【図１】本発明の実施形態に係る音楽再生装置の構成を示すブロック図である。
【図２】従来の音楽再生装置の構成を示すブロック図である。
【発明を実施するための形態】
【００１７】
以下、本発明の実施形態について説明する。図１は、本発明の実施形態に係る音楽再生装置の構成を示すブロック図である。図１に示すように、音楽再生装置１は、マイクロコンピューター２と、ヘッドホンＤＡＣ／アンプ３と、ヘッドホンジャックインターフェースＩＣ４と、ＭＯＳＦＥＴ５と、４極ヘッドホンジャックと、を備える。
【００１８】
マイクロコンピューター２（制御部）は、音楽再生装置１を構成する各部を制御する。ヘッドホンＤＡＣ／アンプ３は、デジタル音声信号をアナログ音声信号にＤ／Ａ変換する。また、ヘッドホンＤＡＣ／アンプ３は、Ｄ／Ａ変換したアナログ音声信号を増幅する。ヘッドホンＤＡＣ／アンプ３により増幅されたアナログ音声信号は、右音声ライン、左音声ラインから、ヘッドホンに出力される。ヘッドホンは、アナログ音声信号に基づいて、音声を出力する。
【００１９】
４極ヘッドホンジャックは、右音声を出力するための右音声ラインと、左音声を出力するための左音声ラインと、アナロググラウンドと、ヘッドホンからのリモコン信号、又は、マイク信号を受信するためのマイク／リモコン信号ラインと、を有する。右音声ライン、左音声ライン、アナロググラウンドは、ヘッドホンＤＡＣ／アンプ３に接続されている。マイク／リモコン信号ラインは、ヘッドホンジャックインターフェースＩＣ４に接続されている。
【００２０】
ヘッドホンジャックインターフェースＩＣ４には、ハイ／ローのリモコン信号、又は、マイク信号が入力される。マイクロコンピューター２は、４極ヘッドホンジャックへのプラグの挿入（接続）を検出する。マイクロコンピューター２は、４極ヘッドホンジャックへのプラグの挿入（接続）を検出したときに、マイク／リモコン信号が、所定の時間、ローである場合に、３極プラグであると判断する。３極プラグは、左音声が出力される左音声端子と、右音声が出力される右音声端子と、グラウンド端子と、を有する。
【００２１】
ＭＯＳＦＥＴ５（スイッチ）は、ｎ型のＭＯＳＦＥＴである。ＭＯＳＦＥＴ５は、マイク／リモコン信号ラインに設けられている。ＭＯＳＦＥＴ５のゲートは、マイクロコンピューター２に接続されている。マイクロコンピューター２は、ＭＯＳＦＥＴ５をオフする場合、ゲートの電位をローとする。ＭＯＳＦＥＴ５は、ゲートの電位がローとなることにより、オフする。マイクロコンピューター２は、ＭＯＳＦＥＴ５をオンする場合、ゲートの電位をハイとする。ＭＯＳＦＥＴ５は、ゲートの電位がハイとなることにより、オンする。
【００２２】
マイクロコンピューター２は、４極ヘッドホンジャックへのプラグの接続を検出したときに、マイク／リモコン信号ラインが、所定の時間、ローである場合に、３極プラグが接続されたと判断する。そして、マイクロコンピューター２は、ＭＯＳＦＥＴ５のゲートの電位をローとし、ＭＯＳＦＥＴ５をオフする。これにより、信号ラインが、ヘッドホンのアナロググラウンドにはつながらないため、音質が悪化することなく、音楽再生を行うことができる。
【００２３】
マイクロコンピューター２は、上記以外の場合、ＭＯＳＦＥＴ５のゲートの電位をハイとし、ＭＯＳＦＥＴ５をオンする。これにより、マイク／リモコン信号ラインを介して、４極プラグのマイク／リモコン信号端子と、ヘッドホンジャックインターフェースＩＣ４と、が接続される。
【００２４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００２５】
上述の実施形態においては、スイッチとして、ＭＯＳＦＥＴが用いられている。これに限らず、スイッチとして、例えば、リレーが用いられてもよい。この場合も、マイクロコンピューターは、リレーのオン／オフを制御する。
【産業上の利用可能性】
【００２６】
本発明は、音楽を再生する音楽再生装置に関する。
【符号の説明】
【００２７】
１  音楽再生装置
２  マイクロコンピューター（制御部）
３  ヘッドホンＤＡＣ／アンプ
４  ヘッドホンジャックインターフェースＩＣ
５  ＭＯＳＦＥＴ（スイッチ）
【図１】
2020025204.tif 000003
【図２】
2020025204.tif 000004